(57)【特許請求の範囲】
【請求項１】
複数の小電極を有する関電極に１６０Ｈｚの探索電流を与えながら小電極を順次走査して良導点を探索すると共に、前記関電極を介して求めた良導点に刺激電流を供給して人体に電気刺激を与える出力制御部と、前記出力制御部に探索電流および刺激電流を供給する探索部および刺激部と、探索手段と刺激手段を統括して制御するＫＥＹおよびＣＰＵと、良導点を表示する表示部と、前記関電極へ供給された探索電流および刺激電流の帰路を構成する不関電極と、不関電極とＣＰＵとの間に並列に設けられた探索入力部および刺激入力部とによって構成され、
不関電極とＣＰＵとの間に並列に設けた探索入力部または刺激入力部を介して取り出された探索電流成分または刺激電流成分をＣＰＵに送出するにあたって、不関電極から検出した１６０Ｈｚの探索電流からノイズ成分を除去して探索電流成分を取り出して良導点を求め、検出した良導点を表示部に表示させると共に、前記良導点に刺激電流を供給して人体に電気刺激を与えるようにした低周波治療装置において、
不関電極から入力された微弱な電流成分から探索電流成分を取り出しＣＰＵへ送出する探索入力部を、入力電流を電圧に変換して増幅するＩ／Ｖ変換・増幅器と、１６０Ｈｚに対して低域をカットするハイパス・フィルタと、５０Ｈｚ成分と６０Ｈｚ成分のみをそれぞれ減衰させる２つのノッチ・フィルタと、１６０Ｈｚに対して高域をカットするローパス・フィルタと、１６０Ｈｚを中心に高低域ともにカットするバンドパス・フィルタと、次のステップにおいて検波できる大きさに増幅する増幅器と、入力されるＡＣ電圧を忠実にＤＣ出力とするＲＭＳ／ＤＣ検波器と、アナログ信号をディジタル信号に変換するＡ／Ｄコンバータと、によって構成し、
不関電極から検出した１６０Ｈｚの探索電流に含有される５０Ｈｚまたは６０Ｈｚのノイズ成分、および１６０Ｈｚに対して高域および低域なノイズ成分を減衰させると共に１６０Ｈｚ探索電流成分を増幅させることを特徴とする低周波治療装置。
【発明の詳細な説明】
【０００１】
【発明の属する技術分野】
この発明は、人体の皮膚表面に点在する良導点（経路・ツボ）を正確に探索すると共に、電気的刺激を与えて鎮痛作用を及ぼすことのできる装置に関する。
【０００２】
【従来の技術】
コンピュータを利用して、人体に無数点在する疼痛点やツボを確率よく探索し、電気的刺激を与えて鎮痛作用を及ぼす良導点自動探索・低周波治療装置が開発されている。
良導点（経路・ツボ）の皮膚表面での電気抵抗が低い特徴を活用して正確な良導点を自動探索すると共に、低周波パルス電流による刺激を与えて治療に役立てるものである。
【０００３】
図４は、従来技術による良導点自動探索・低周波治療装置の回路構成を示すブロック図である。ＫＥＹ１０１は、探索と刺激、スタートとストップ、時間と回数等の設定を行うものであり、ＣＰＵ１０２はＫＥＹ１０１からの命令および外部入力により計算された出力を表示部１０３に表示すると共に、複数の関電極１１０１〜１１０４の出力制御を行う。
表示部１０３は探索および刺激の場所（ツボ）をＬＥＤ点灯によって表示すると共に、測定電流に相当する数値も表示する。
探索部１０４は探索に必要な１６０Ｈｚ探索電流をＣＰＵ１０２の命令により作り出し、さらに、刺激部１０５は刺激に必要な一方向性（負性）定電圧パルス（例えば、１，３，１０，４５，１２５Ｈｚの刺激周波数）をＣＰＵ１０２の命令により増幅して出力する。
出力制御部１０６１は探索部１０４からの１６０Ｈｚ探索電流を入力して、関電極１１０１に設けてある１６個の小電極を順次走査しながら探索して良導点を求め、その部位に刺激部１０５から入力した一方向性（負性）定電圧パルスを加えて刺激する機能を備えている。
その他の出力制御部１０６２〜１０６４にも、それぞれ関電極１１０２〜１１０４（図示せず）が設けてある。
【０００４】
不関電極１０９は、関電極１１０１〜１１０４へ供給された探索／刺激電流の帰路を構成しており、平面積の大きな電極を形成しており、疼痛点でない皮膚表面に取り付ける。
電流入口部１０８は不関電極１０９からの探索電流と刺激電流とのレベル差を調整する機能を備えており、刺激入力部１０７において電流入口部１０８から入力した電流に含まれている探索電流成分または刺激電流成分が取り出され、ＣＰＵ１０２へ送出される。
被験者の人体の皮膚表面に貼り付けた関電極１１０に、出力制御部１０６を介して探索部１０４から探索電流を供給して良導点の探索を行うと、人体を介して不関電極１０９によって検出された微小電流は、電流入口部１０８、刺激入力部１０７を介してＣＰＵ１０２に入力し、表示部１０３に表示されるように構成してある。
【０００５】
【発明が解決しようとする課題】
不関電極から検出される探索電流は極めて微弱であるばかりでなく多くのノイズを含有しているので、ノイズを除去して探索電流成分を取り出し、正確な良導点を求めることは容易ではない。
被験者の人体の周辺には、商用電源５０Ｈｚまたは６０Ｈｚによって駆動される各種の医療機器が設置してあり、これらの医療機器の作動に伴って発生するノイズも存在する。人体は周辺に設置してある機器と電磁的／静電的に結合されているので、商用電源から誘導される５０Ｈｚまたは６０Ｈｚのノイズは、他のノイズに比較して極めて大きいものである。
人体に１６０Ｈｚの微弱な探索電流を流して、この探索電流を不関電極から検出するためには商用電源に起因するノイズを数千分の１に減衰させることが必要である。
探索電流周波数に１６０Ｈｚを選択した理由は、商用電源周波数５０Ｈｚまたは６０Ｈｚに対して、高調波成分が最も少ない周波数であることによっている。
【０００６】
【課題を解決するための手段】
この発明は、上述した従来技術による欠点を解消するためになされたものであって、不関電極によって検出される探索電流に含まれる５０Ｈｚまたは６０Ｈｚノイズ成分、および１６０Ｈｚに対して高域／低域なノイズ成分を減衰させるフィルタを設置して、１６０Ｈｚ探索電流成分を正確に検出しようとするものである。
【０００７】
【発明の実施の形態】
以下、この発明の実施例を図面を参照しながら説明する。
図１は、この発明に係る低周波治療装置の回路構成を示すブロック図である。図１において、ＫＥＹ１，ＣＰＵ２，表示部３，探索部４，刺激部５，出力制御部６１〜６４，関電極１０１〜１０４，刺激入力部８，電流入口部９，不関電極１１は、従来技術において説明した機能と類似しているので説明は省略する。
【０００８】
探索入力部７は、この発明における低周波治療装置の構成要素として設けたものであって、不関電極１１から入力された微弱な電流成分から探索電流である１６０Ｈｚ成分を取り出し、ＣＰＵ２入力レベルまで増幅し、内蔵するＡ／Ｄコンバータによってディジタル信号に変換してＣＰＵ２へ検出した探索電流を送出するものであり、図２に示す各種の構成要素によって形成されている。
Ｉ／Ｖ変換・増幅器７１は、関電極１０１〜１０４から供給される微弱電流０．１〜２０μＡを０．１ｍＶ〜２０ｍＶに変換して増幅する。
ハイパス・フィルタ７２は、１６０Ｈｚに対して低域を１２ｄＢ／octカットするフィルタであり、ノッチ・フィルタ７３と７４は５０Ｈｚ成分と６０Ｈｚ成分のみをそれぞれ３５ｄＢ減衰させる。
また、ローパス・フィルタ７５は１６０Ｈｚに対して高域を１２ｄＢ／octカットするフィルタであり、バンドパス・フィルタ７６は１６０Ｈｚを中心に高低域ともに６０ｄＢ／octカットするフィルタである。
なお、組み合わせフィルタによるフィルタの特性曲線は図３に示す通りであるが、結合ロスがあるので単独計算値よりも１０〜１５ｄＢ悪くなる。
増幅器７７は、次のステップにおいて検波できる大きさに増幅（例えば４６ｄＢ）するものであり、ＲＭＳ／ＤＣ検波器７８は入力されるＡＣ電圧を忠実にＤＣ出力とする検波器であり、Ａ／Ｄコンバータ７９に入力してディジタル信号に変換され、ＣＰＵ２を介して表示部３に表示される。
表示部３には関電極１０１〜１０４に対応した１６個のＬＥＤによって構成した４組の表示器が設けてあり、ＣＰＵ２によって検出された探索電流値の最も大きい小電極位置のＬＥＤを点灯させるので、良導点を容易に確認できる。
【０００９】
【発明の効果】
以上説明したように、この発明に係る低周波治療装置によると、微弱な探索電流成分から商用電極周波数である５０Ｈｚまたは６０Ｈｚに起因するノイズを重点的に除去すると共に、探索電流成分１６０Ｈｚに対する高域／低域なノイズ成分も減衰させるフィルタを組み合わせた探索入力部を設置してあるので、１６０Ｈｚ探索電流成分を正確に検出でき、良導点（ツボ）を効率よく検出することが可能である。
【図面の簡単な説明】
【図１】この発明に係る低周波治療装置の回路構成を示すブロック図。
【図２】探索入力部の構成を示すブロック図。
【図３】組み合わせフィルタの特性曲線。
【図４】従来技術による低周波治療装置の回路構成を示すブロック図。
【符号の説明】
１  ＫＥＹ
２  ＣＰＵ
３  表示部
４  探索部
５  刺激部
６１〜６４  出力制御部
７  探索入力部
８  刺激入力部
９  電流入口部
１０１〜１０４  関電極
１１  不関電極
【図１】
0003870085.tif 000002
【図２】
0003870085.tif 000003
【図３】
0003870085.tif 000004
【図４】
0003870085.tif 000005